(57)【要約】  液体の容易に流動可能な組成物は、（ａ）好ましくは約１１．１〜約１８．８の親水性・親油性バランスを有する、少なくとも一つの非イオン性界面活性剤を含む室温固形物溶質、（ｂ）少なくとも一つの脂肪酸アルカノールアミド、および（ｃ）必要ならば水を含む。室温で実質的に液体である脂肪酸アルカノールアミドは、固形物溶質を溶媒和して室温で液体の容易に流動可能である均一な組成物を形成する。非イオン性界面活性剤の選択クラスには、ポリアルキレンオキシド・カルボン酸エステル、エトキシル化脂肪族アルコール、ポロキサマー、アルキル多糖類、またはそれらの組合せが挙げられる。有用な脂肪酸アルカノールアミドには脂肪酸ジエタノールアミドが挙げられる。【特許請求の範囲】
【請求項１】
（ａ）少なくとも一つの非イオン性界面活性剤を含む室温固形物溶質、
（ｂ）少なくとも一つの脂肪酸アルカノールアミド；および
（ｃ）場合により、水、
を含む液体の容易に流動可能な組成物であって、該脂肪酸アルカノールアミドは溶媒として機能して、固形物溶質を溶媒和し室温で液体の容易に流動可能である均一な組成物を形成する組成物。
【請求項２】
脂肪酸アルカノールアミドの脂肪族部分が、３〜２１個の炭素原子数を含有する分岐鎖または直鎖のアルキルまたはアルケニル基である請求項１に記載の組成物。
【請求項３】
非イオン性界面活性剤が、約１１．１〜約１８．８の親水性・親油性バランスを有する請求項１または２のいずれかに記載の組成物。
【請求項４】
脂肪酸アルカノールアミドの濃度が少なくとも約１０重量％である先行する請求項のいずれかに記載の組成物。
【請求項５】
脂肪酸アルカノールアミドの濃度が約１０重量％〜約８０重量％である請求項４に記載の組成物。
【請求項６】
約３５重量％以下の水を含む先行する請求項のいずれかに記載の組成物。
【請求項７】
溶質の濃度が約１０重量％〜約８０重量％である先行する請求項のいずれかに記載の組成物。
【請求項８】
非イオン性界面活性剤が、
（ｉ）ポリアルキレンオキシド・カルボン酸エステルが、式中ｎが約５〜約２００である式−（ＯＣＨ2ＣＨ2）nに対応するポリエチレン・オキシド部分を有し、約８〜約３０個の炭素原子数のカルボン酸部分を有する、ポリアルキレンオキシド・カルボン酸モノエステル、ポリアルキレンオキシド・カルボン酸ジエステル、およびそれらの混合物からなる群から選択されるポリアルキレンオキシド・カルボン酸エステル、
（ｉｉ）式中ｍが約５〜約１５０である式−（ＯＣＨ2ＣＨ2）mに対応するエチレン・オキシド部分を有し、約６〜約３０個の炭素原子数の脂肪族アルコール部分を有するエトキシル化脂肪族アルコール、
（ｉｉｉ）約１５〜約１００モルのエチレン・オキシド、および約１５〜約７０モルのプロピレン・オキシドを有するエチレン・オキシドとプロピレン・オキシドのブロックポリマーであるポロキサマー、
（ｉｖ）約６〜約３０個の炭素原子数を有する疎水基を有するアルキル多糖類、および
（ｖ）それらの組合せ、
からなる群から選択される、先行する請求項のいずれかに記載の組成物。
【請求項９】
脂肪酸アルカノールアミドが脂肪酸ジエタノールアミドである先行する請求項のいずれかに記載の組成物。
【請求項１０】
非イオン性界面活性剤が、式中ｎが約５〜約２００である式−（ＯＣＨ2ＣＨ2）nに対応するポリエチレン・オキシド部分を有し、約８〜約３０個の炭素原子数のカルボン酸部分を有するポリアルキレンオキシド・カルボン酸ジエステルである、先行する請求項のいずれかに記載の組成物。
【請求項１１】
組成物の洗浄剤配合物中への添加が、洗浄剤配合物の粘度を、非溶媒和ポリアルキレンオキシド・カルボン酸ジエステルの洗浄剤配合物中への類似の重量添加についてよりも大きな粘度に増大させる、請求項１０に記載の組成物。
【請求項１２】
非イオン性界面活性剤溶質が、
（ｉ）ポリアルキレンオキシド・カルボン酸エステルが、式中ｎが約８〜約１５０である式−（ＯＣＨ2ＣＨ2）nに対応するポリエチレン・オキシド部分を有し、約１６〜約１８個の炭素原子数のカルボン酸部分を有する、ポリアルキレンオキシド・カルボン酸モノエステル、ポリアルキレンオキシド・カルボン酸ジエステル、およびそれらの混合物、
（ｉｉ）式中ｍが約７〜約２１である式−（ＯＣＨ2ＣＨ2）mに対応するエチレン・オキシド部分を有し、約１０〜約１９個の炭素原子数の脂肪族アルコール部分を有するエトキシル化脂肪族アルコール、および
（ｉｉｉ）それらの組合せ、
からなる群から選択される、先行する請求項のいずれかに記載の組成物。
【請求項１３】
（ａ）少なくとも一つの非イオン性界面活性剤の室温固形物溶質を提供し、
（ｂ）室温で液体である脂肪酸アルカノールアミドを選択し、
（ｃ）溶質、場合により水、および脂肪酸アルカノールアミドを組み合わせ、
（ｄ）固形物を液化するために混合物を溶質の流動点を超える温度に加熱し、および
（ｅ）均一な液体組成物が得られるまで混合物の温度を保持し攪拌すること、
を含む室温で固形物である組成物を溶媒和するための方法。
【請求項１４】
さらに、組み合わせた液化溶質および脂肪酸アルカノールアミド組成物を室温に冷却して室温で均一な液体組成物を形成する工程を含む、請求項１３に記載の方法。  
【請求項１５】
脂肪酸アルカノールアミドが、ラウリン酸ジエタノールアミドおよびココナッツ油脂肪酸ジエタノールアミドからなる群から選択される、請求項１３および１４のいずれかに記載の方法。
【請求項１６】
溶媒和増粘剤組成物が，
（ａ）少なくとも一つの脂肪酸アルカノールアミドを含む溶媒、
（ｂ）式中ｎが約５〜約２００である式−（ＯＣＨ2ＣＨ2）nに対応するポリエチレン・オキシド部分を有し、約８〜約３０個の炭素原子数のカルボン酸部分を有するポリアルキレンオキシド・カルボン酸ジエステルを含む室温固形物非イオン性界面活性剤を含む溶質、および
（ｃ）水、
を含み、該溶媒和増粘剤組成物が室温で均一な液体である、液体の溶媒和増粘剤組成物を洗浄剤配合物中に添加すること、
を含む洗浄剤配合物を増粘する方法。
【請求項１７】
溶媒和増粘剤組成物を添加する工程が室温で行われる請求項１６に記載の方法。
【請求項１８】
溶媒和増粘剤組成物の添加が、類似のポリアルキレンオキシド・カルボン酸ジエステルの類似の重量の添加によるよりも大きく洗浄剤配合物の粘度を増大させる、請求項１６および１７のいずれかに記載の方法。
【請求項１９】
洗浄剤配合物がシャンプーである請求項１６〜１８のいずれかに記載の方法。
【請求項２０】
（ｉ）（ａ）少なくとも一つの非イオン性界面活性剤を含む室温固形物、
（ｂ）少なくとも一つの脂肪酸アルカノールアミド；および
（ｃ）水、
を含む液体の容易に流動可能な組成物であって、該脂肪酸アルカノールアミドは溶媒として機能して、固形物溶質を溶媒和し室温で液体の容易に流動可能である均一な組成物を形成する組成物、
（ｉｉ）陰イオン界面活性剤、および
（ｉｉｉ）場合により、１以上のベタイン、非イオン性界面活性剤、両性界面活性剤、および陽イオン界面活性剤、
を含むシャンプー。  
【請求項２１】
（ｉ）（ａ）少なくとも一つの脂肪酸アルカノールアミドを含む溶媒、
（ｂ）式中ｎが約５〜約２００である式−（ＯＣＨ2ＣＨ2）nに対応するポリエチレン・オキシド部分を有し、約８〜約３０個の炭素原子数のカルボン酸部分を有するポリアルキレンオキシド・カルボン酸ジエステルを含む室温固形物非イオン性界面活性剤を含む溶質、および
（ｃ）水、
を含む室温で液体の溶媒和増粘剤組成物、
（ｉｉ）陰イオン界面活性剤、
（ｉｉｉ）ベタイン、
（ｉｖ）非イオン性界面活性剤、および
（ｖ）場合により、両性界面活性剤、
を含む赤ちゃん用シャンプー。
【請求項２２】
脂肪酸アルカノールアミドが脂肪酸ジエタノールアミドである請求項２１に記載の赤ちゃん用シャンプー。
【請求項２３】
陰イオン界面活性剤が全体シャンプー基準に対して約２〜約５重量％で存在し；ベタインが全体シャンプー基準に対して約３〜約６重量％で存在し；非イオン性界面活性剤が全体シャンプー基準に対して約６〜約１０重量％で存在し；および両性界面活性剤が全体シャンプー基準に対して約０〜約５重量％で存在する、請求項２１および２２のいずれかに記載の赤ちゃん用シャンプー。
【請求項２４】
（ｉ）（ａ）少なくとも一つの脂肪酸アルカノールアミドを含む溶媒、
（ｂ）式中ｎが約５〜約２００である式−（ＯＣＨ2ＣＨ2）nに対応するポリエチレン・オキシド部分を有し、約８〜約３０個の炭素原子数のカルボン酸部分を有するポリアルキレンオキシド・カルボン酸ジエステルを含む室温固形物非イオン性界面活性剤を含む溶質、および
（ｃ）水、
を含む室温で液体の溶媒和増粘剤組成物、
（ｉｉ）陰イオン界面活性剤、
（ｉｉｉ）ベタイン、
（ｉｖ）非イオン性界面活性剤、および
（ｖ）場合により、陽イオン界面活性剤、
を含むおとな用シャンプー。
【請求項２５】
陰イオン界面活性剤が全体シャンプー基準に対して約６〜約１５重量％で存在し；ベタインが全体シャンプー基準に対して約２〜約６重量％で存在し；非イオン性界面活性剤が全体シャンプー基準に対して約１〜約４重量％で存在し；および陽イオン界面活性剤が全体シャンプー基準に対して約０〜約１重量％で存在する、請求項２４に記載のおとな用シャンプー。
【請求項２６】
（ｉ）ａ）少なくとも一つの非イオン性界面活性剤を含む室温固形物溶質、
ｂ）少なくとも一つの脂肪酸アルカノールアミド、および
ｃ）水、
を含む液体の容易に流動可能な組成物であって、該脂肪酸アルカノールアミドは溶媒として機能して、固形物溶質を溶媒和し室温で液体の容易に流動可能である均一な組成物を形成する組成物、および
（ｉｉ）陰イオン界面活性剤、非イオン性界面活性剤、両性界面活性剤、および陽イオン界面活性剤からなる群から選択される少なくとも一つの界面活性剤、
を含む工業用洗浄剤組成物。
【発明の詳細な説明】
【技術分野】
【０００１】
関連特許
本出願は、本明細書において参考のためその全体が包含される、２００４年５月７日出願の米国特許出願第１０／８４０，４１８号の優先権を主張する。
【０００２】
発明の分野
本発明は、脂肪酸アルカノールアミドおよび時に水により、室温で固形物である非イオン性界面活性剤を溶媒和することに関する。さらに詳細には、本発明は、脂肪酸ジエタノールアミドによりこれら固形物材料の均一な溶液を作り出すことに関する。
【０００３】
背景
非イオン性界面活性剤は、アジュバント作用、増粘化、発泡性、乳化、分散、結合性（油の混和性を増す）、可溶化、洗浄力、懸濁化、拡散、湿潤化およびゲル化などの多種多様な有用性のせいで、多くの組成物中に組み込まれてきた。非イオン性界面活性剤は、５０年以上にわたり利用されてきたが、ごく限られた数しか、すぐに流動可能な液体形態をとって提供されることはなかった。固形物非イオン性界面活性剤は、一般的に、固形物を種々の配合物中への次の組み込み用に流動可能な形態に融解するために加熱される。
【０００４】
しかし、こうした加熱は高価につくだけでなく、また、得られる配合物の他の成分に影響を及ぼすことが可能である。例えば、一部の界面活性剤は、水不溶性材料、例えば、しばしば油溶性のみの材料である芳香剤を、溶液の表面張力を低下させるか、またはその中で材料を分散させるために非混和性物質間の界面表面張力を減じることにより、水系中に可溶化するための能力を有する。融解界面活性剤中への芳香剤の組み込みは、多くの場合、これら物質の多くが揮発性油であるので、芳香剤の損失をもたらすことが可能である。
【０００５】
脂肪酸アルカノールアミドは、長年にわたり、多様な化粧品、パーソナルケア、家庭用および工業用配合物において用いられてきた。脂肪酸アルカノールアミドは、通常、脂肪酸とモノエタノールアミン、ジエタノールアミン、およびモノイソプロパノールアミンなどのアルカノールアミンとの縮合物である。脂肪酸アルカノールアミドは、液体洗剤および気泡安定剤および粘性ビルダーなどのパーソナルケア製品などの一般の液体系、潤滑剤、粘度調整剤、腐食抑制剤などの金属作用配合物、および多様な他の用途において幅広く用いられてきた。
【０００６】
コロイド化学および界面活性剤化学において用いられているように、可溶化は、水または主として水からなる系などの液体中への不溶性物質の分散または乳化である。しかし、こうした分散または乳化は、真のまたは本質的な溶液、すなわち、溶質と溶媒の分子またはイオンレベルでの均一な混合をもたらさない。可溶化混合物は微細に分散されて、顕微鏡的またはミクロンレベルで存在する個別の粒子を有する視覚的に透明な乳化液を作り出す。換言すれば、上述の脂肪酸アルカノールアミドなどの一部の界面活性剤は、水不溶性物質を水系、すなわち、主要な量の水を有する系中に微細に分散するかまたは可溶化するために用いられてきた。しかし、こうした系は、顕微鏡的レベルでの不均一な二重または多重相のままで残る。
【０００７】
さらに、多くの非イオン性界面活性剤は、一般的に１０重量％未満で水中に可溶かまたはわずかに可溶性であると説明されている。しかし、こうした一般的に用いられる専門用語は、真の水溶液を形成するための界面活性剤の能力に言及しているのではなく、水系分散液または乳化液に適する界面活性剤の量に対する限定に言及している。
【０００８】
脂肪酸アルカノールアミドの種々の分散液および脂肪酸アルカノールアミドを含有する界面活性剤系または配合物が記載されてきたが、一方で、室温で固形物である非イオン性界面活性剤組成物の溶媒和は、分かりにくいままである。結果として、室温で安定である均一液体を提供するために室温で実質的に固形物である非イオン性界面活性剤を溶媒和する必要性がある。望ましくは、こうした溶媒和は、液体形態で送達可能である利便性を提供しながら、固形物非イオン性界面活性剤の公知の属性を提供する。
【発明の開示】
【０００９】
発明の概要
本発明は、周辺室温（約２５℃）で固形物である特定の非イオン性界面活性剤の溶媒和に関する。望ましくは、溶媒和は、非イオン性界面活性剤が通常組成物または配合物に付加する属性に悪影響を与えない。一部のケースにおいて、溶媒和は、溶媒和組成物が非溶媒和非イオン性界面活性剤の使用に較べて強化された性能を提供する相乗効果をもたらす。
【００１０】
さらに詳細には、本発明は、非イオン性界面活性剤、少なくとも一つの脂肪酸アルカノールアミドおよび時に水の均一な液体組成物に関する。好ましい実施形態において、脂肪酸ジエタノールアミドが用いられる。非イオン性界面活性剤は、好ましくは、約１１．１〜約１８．８の親水性・親油性バランス（ＨＬＢ）を有する。約１１．１未満または約１８．８を超えるＨＬＢを有する非イオン性界面活性剤は、本発明において用いられる脂肪酸アルカノールアミドにより完全に溶媒和することは可能でない。
【００１１】
有用な脂肪酸ジエタノールアミドには、ラウリン酸ジエタノールアミドおよびココナッツ油脂肪酸ジエタノールアミド、およびそれらの組合せが挙げられる。
【００１２】
本発明の詳細な説明
多くの用途が本発明により考えられる。本発明の溶媒和組成物が中に組み込まれることが可能である多くの用途には、限定なしで、石鹸、液体ハンドクレンザー、身体洗浄液、顔洗浄液、化粧水、保湿剤、日焼け止め剤、および化粧品などのスキンケア製品；シャンプー、コンディショナー、髪染料および着色剤および整髪用ゲルなどのヘア・ケア製品；工業用洗浄剤；家庭用洗浄剤；洗濯洗剤；ならびに赤ちゃんおよび老人用のおしり拭きなどのウエットタイプのタオル；殺生剤を含む農業用製品；塗料；テキスタイル；金属洗浄製品；金属ワーキング製品；および潤滑剤が挙げられる。
【００１３】
本発明を説明するために本明細書において用いられ、および一般化学で用いられる用語、溶媒和およびその変形は、物質（すなわち、溶媒）の、分子相互作用を通しての別の物質（すなわち、溶質）と均一な液体溶液を形成するための能力に関するが、しかし、塩化ナトリウムが水により溶解される場合のような溶質の実質的な分子解離は除く。こうした均一溶液においては、溶質は溶媒により溶解される。対照的に、上述のように、可溶化は、二つの非適合な例えば非混和物質の分散に役立つための物質（可溶化剤）の能力に関する。多くの場合、可溶化剤は非混和物質間の界面表面張力を下げてそれらの間の分散を可能とする。こうした分散は均一な液体溶液をもたらさないが、しかし、単に、不均一な、多くの場合時に微細に分散した微小乳化液混合物をもたらすだけである。従って、本明細書において用いられるように、溶媒和組成物に対する均一性の程度は、可溶化組成物中に存在する均一性の程度を凌ぐ。本明細書において用いられるように、均一組成物は、凍結および次の解凍にさらされる場合にさえ、ほぼ室温で長期にわたり個々の構造体中に分離されない一様な組成物または真の溶液を指す。
【００１４】
本発明の実施による有用な溶媒には、液体脂肪酸アルカノールアミド、好ましくは脂肪酸ジエタノールアミド、および時に水が挙げられる。こうした溶媒により溶媒和することが可能である溶質には、室温で固形物であるある種の非イオン性界面活性剤が挙げられる。脂肪酸アルカノールアミドにより溶媒和される非イオン性界面活性剤には、好ましくは約１１．１〜約１８．８の親水性・親油性バランス（ＨＬＢ）を有する、以下に記載されるようなクラスの非イオン性界面活性剤が挙げられる。
【００１５】
ＨＬＢは、非イオン性界面活性剤の親水性部分の重量の表示である。たいていのポリオール脂肪酸エステルについてのＨＬＢ値は、式中、Ｓがエステルの鹸化価であり、Ａが回収酸の酸価である式ＨＬＢ＝２０＊（１−Ｓ／Ａ）により計算することができる。親水性部分がエチレン・オキシドからなる場合、ＨＬＢ値は、式中、Ｅがオキシエチレン含量の重量％である式ＨＬＢ＝Ｅ／５により計算することが可能である。
【００１６】
本発明の溶質は、好ましくは約１１．１〜約１８．８のＨＬＢを有し、さらに好ましくは以下のクラスから選択される室温で固形物であるような非イオン性界面活性剤である：
（１）約８〜約３０個の炭素原子数を有し、式中ｎが約５〜約２００である式−（ＯＣＨ2ＣＨ2）nに対応するポリエチレン・オキシド部分を有すると共に、さらに、モノ−およびジ−エステルの両方が含まれ、好ましくは約１６〜約１８個の炭素原子数を有し、ｎが約８〜約１５０であるポリアルキレンオキシド・カルボン酸エステル；
（２）式中ｍが約５〜約１５０、好ましくは約６〜約３１、さらに好ましくは約７〜約２１モルのエトキシル化である式−（ＯＣＨ2ＣＨ2）mに対応するエチレン・オキシド部分を有し、約６〜約３０個の炭素原子数、好ましくは約８〜約２２個の炭素原子数、さらに好ましくは約１０〜約１９個の炭素原子数を持つ脂肪族アルコール部分を有するエトキシル化脂肪族アルコール（これらの脂肪族アルコールは直鎖または分岐鎖アルコールであることができ、且つ飽和または不飽和であることができると共に、適するエトキシル化脂肪族アルコールの非限定例には、数値表示が存在するエチレン・オキシド部分の数を示すオレスアルコールのエチレングリコールエーテルであるオレス−１０〜オレス−２０、数値表示が存在するエチレン・オキシド部分の数を示すステアレスアルコールのエチレングリコールエーテルであるステアレス−１０〜ステアレスー２１などの一連のステアレス化合物が挙げられ、他の脂肪族アルコールにはラウリルアルコールおよびイソセチルアルコールを挙げることが可能である）；
（３）約１５〜約１００、好ましくは約６０〜約７０モルのエチレン・オキシド、および約１５〜約７０、好ましくは約２０〜約３０モルのプロピレン・オキシドを有するエチレン・オキシドとプロピレン・オキシドのブロックコポリマーであるポロキサマー；
（４）約６〜約３０個の炭素原子数を有する疎水基および親水基としての多糖類（例えば、ポリグリコシド）を有するアルキル多糖類（ＡＰＳ）界面活性剤（例えば、アルキルポリグリコシド）；（場合により、疎水および親水部分を結合するポリアルキレン・オキシド基であることができ；アルキル基（すなわち、疎水部分）は飽和または不飽和、分岐または非分岐、および非置換または置換（例えば、ヒドロキシル基による）であることができる）；および
（５）それらの組合せ。
【００１７】
好ましい非イオン性界面活性剤は、ポリアルキレンオキシド・カルボン酸エステル、エトキシル化脂肪酸アルコール、およびそれらの組合せである。
【００１８】
本発明の均一組成物中に存在する溶質の量は、低濃度、例えば約１０重量％以下から、高濃度、例えば、約８０重量％以上に変わることが可能であり、重量％は全体組成物基準に対するものである。溶媒和することが可能である上述の非イオン性界面活性剤の量は、溶媒和しようとする非イオン性界面活性剤のＨＬＢを含むいくつかの因子に応じて決まる。他の因子には、存在する場合、水を含む特定の溶媒を挙げることが可能である。好ましいＨＬＢ範囲、すなわち、約１１．１〜約１８．８の末端で、約１０重量％の非イオン性界面活性剤は適して溶媒和することが可能である。１０重量％未満の非イオン性界面活性剤を有する溶液は、また形成することが可能であるが、しかし、これらのさらに薄い溶液は、界面活性剤の機能が薄められることが可能であるので好ましくない。非イオン性界面活性剤のより高い量は、１１．１〜１８．８値間のＨＬＢ値で溶媒和することが可能である。例えば、約８０重量％以上の約１５〜約１７のＨＬＢを有する非イオン性界面活性剤は、溶媒和することが可能である。従って、約１１．１〜約１８．８値間のＨＬＢ値を有する室温固形物の非イオン性界面活性剤の真の溶液は、全体組成物基準に対して、約１０重量％〜約８０重量％、好ましくは約２０重量％〜約７０重量％、さらに一般的に約２０重量％〜約６５重量％の非イオン性界面活性剤を有して形成することが可能である。
【００１９】
脂肪酸アルカノールアミドを有するある種の非イオン性界面活性剤に対する溶媒和レベルは、非イオン性界面活性剤および時に水のＨＬＢにより変わる。多数の試験が最大の溶媒和限界未満でなされて、溶質および溶媒の可変濃度で得られる組成物の均一性を確認した。約１１．１未満のＨＬＢを有する非イオン性界面活性剤は、可能な相分離により曇ったまたは濁った混合物を形成する傾向がある。約１８．８を超えるＨＬＢを有する非イオン性界面活性剤は、可能な相分離および可能な固化により曇ったまたは濁った混合物である傾向がある。  
【００２０】
上述の溶媒和レベルは、また、非イオン性界面活性剤の混合物または組合せのために適して用いることが可能であり、それによって、非イオン性界面活性剤混合物の得られるＨＬＢは、好ましくは、約１１．１〜約１８．８にある。従って、約１１．１〜約１８．８のＨＬＢを有する非イオン性界面活性剤の混合物、および約１１．１〜約１８．８のＨＬＢを有することが可能であるかまたは可能でない別の非イオン性界面活性剤は、組み合わせたＨＬＢが好ましくは約１１．１〜約１８．８である場合に、適して溶媒和することが可能である。好ましくは、約１１．１〜約１８．８のＨＬＢ範囲外の非イオン性界面活性剤のほんの少量しか、溶媒和しようとする界面活性剤混合物中には含まれない。
【００２１】
非イオン性界面活性剤に対する溶媒和レベルは、また、用いられる溶媒量に応じて決まる。全体組合せ量基準に対して約１０重量％〜約８０重量％、好ましくは約２０重量％〜約７０重量％、さらに好ましくは約２０重量％〜約６５重量％量での脂肪酸アルカノールアミドは、本発明の溶媒和組成物中に存在することが可能である。いくらかの水は、均一な液体溶液を形成するために、脂肪酸アルカノールアミドを有する非イオン性界面活性剤の溶媒和のために必要とすることが可能である。一般に、少なくとも５重量％の水が、非イオン性界面活性剤を有する均一な液体組成物を形成するために用いられる。均一な液体組成物は、全体組成物基準に対して約５重量％〜約３５重量％の水、好ましくは約１０〜約３０重量％の水、さらに好ましくは約２０〜約３０重量％の水を適して含有することが可能である。
【００２２】
脂肪酸アルカノールアミドは、好ましくは、式（Ｉ）で表されるものである：
【化１】
2007536408.tif 000002
式中、
Ｒは、分岐鎖または直鎖、Ｃ3〜Ｃ21アルキルまたはアルケニル基、好ましくはＣ8〜Ｃ18アルキルまたはアルケニル基、さらに好ましくは直鎖アルキル基、またはそれらの組合せであり；ｑは０または１、好ましくは０であり；ｘは１または２、好ましくは２であり；ｙは０または１、好ましくは０であり；およびｚは１または２、好ましくは２である。
【００２３】
従って、脂肪酸アルカノールアミドは、脂肪酸エタノールアミドまたは脂肪酸イソプロパノールアミドであることが可能であるが、しかし、脂肪酸エタノールアミド、特に脂肪酸ジエタノールアミドが好ましい。
【００２４】
適する好ましい脂肪酸ジエタノールアミドには、ラウリル酸ジエタノールアミド、カプリン酸ジエタノールアミド、カプリル酸ジエタノールアミド、カプリル酸／カプリン酸ジエタノールアミド、デカン酸ジエタノールアミド、ミリスチン酸ジエタノールアミド、パルミチン酸ジエタノールアミド、ステアリン酸ジエタノールアミド、イソステアリン酸ジエタノールアミド、オレイン酸ジエタノールアミド、リノール酸ジエタノールアミド、オクチルデカン酸ジエタノールアミド、２−ヘプチルウンデカン酸ジエタノールアミド、ココナッツ油脂肪酸ジエタノールアミド、牛脂脂肪酸ジエタノールアミド、大豆油脂肪酸ジエタノールアミドおよびパーム核油脂肪酸ジエタノールアミドが挙げられる。これらの中で、ラウリル酸およびココナッツ油脂肪酸ジエタノールアミドが好ましい。
【００２５】
本発明による室温固形物溶質を溶媒和するための方法は、（a）好ましくは約１１．１〜約１８．８の親水性・親油性バランスを有する、少なくとも一つの非イオン性界面活性剤の室温固形物溶質を提供し、（ｂ）室温で液体である少なくとも一つの脂肪酸アルカノールアミドを選択し、（ｃ）溶質、場合により、水、および脂肪酸アルカノールアミドを組み合わせ；（ｄ）固形物を液化するために混合物を溶質の流動点を超える温度に加熱し；および（e）均一な液体組成物が得られるまで混合物の温度を保持し攪拌する工程を含む。組成物は室温まで冷却して室温で均一な液体組成物を形成することが可能である。しかし、本発明は、溶質の液化のため組合せ混合物を加熱することに限定されない。例えば、あらゆる構成成分は個々にまたは組み合わせて加熱して、固形物溶質を融解するために十分なエンタルピーを提供し、得られる混合物を混合の間液体形態に保持することが可能である。加熱は、各種構成成分を組み合わせる前、間または後に行うことが可能である。
【００２６】
本発明の溶媒和技術は、（a）好ましくは約１１．１〜約１８．８の親水性・親油性バランスを有する、ポリアルキレンオキシド・カルボン酸エステル、エトキシル化脂肪族アルコール、ポロキサマー、アルキル多糖類、およびそれらの組合せなどの少なくとも一つの非イオン性界面活性剤の室温固形物溶質、および（ｂ）少なくとも一つの脂肪酸アルカノールアミド組成物；および場合により（ｃ）必要とされる場合に水、を含む液体の容易に流動可能な組成物を提供する。
【００２７】
溶質がポリアルキレンオキシド・カルボン酸ジエステル、好ましくはジステアリン酸ポリオキシエチレン、さらに好ましくはジステアリン酸ポリオキシエチレン（１５０）を含む場合に、脂肪酸アルカノールアミド、好ましくは脂肪酸ジエタノールアミド、および水を含む溶媒の使用は、相乗的な増粘効果をもたらす。相乗的とは、得られる増粘化が溶質単独かまたは溶媒単独によって引き起こされる増粘化よりも大きいことを意味する。こうした相乗的な増粘化は、洗浄剤配合物、例えば限定されないがシャンプーにおいて有用である。本発明による溶媒和組成物は、驚くことに、その個々の構成成分の寄与を超える高い増粘化を有する。脂肪酸アルカノールアミド、適して脂肪酸ジエタノールアミドは、好ましくは、本発明の溶媒和組成物中の全体組合せ量基準に対して約５重量％〜約５０重量％、好ましくは約１０重量％〜約３５重量％、さらに好ましくは約１５重量％〜約２５重量％の量で存在する。ポリアルキレンオキシド・カルボン酸ジエステルは、好ましくは、全体組合せ量基準に対して約２０重量％〜約７０重量％、好ましくは約３０重量％〜約６０重量％、さらに好ましくは約４５重量％〜約５５重量％の量で存在する。均一な液体組成物は、適して、全体組成物基準に対して約５重量％〜約５０重量％の水、好ましくは約１５〜約４０重量％の水、さらに好ましくは約２５〜約３０重量％の水を含有する。特に驚くべき特徴は、比較的高い濃度のポリアルキレンオキシド・カルボン酸ジエステルが、比較的低い濃度の脂肪酸アルカノールアミドを用いて溶媒和することができることである。
【００２８】
本発明の一つの態様において、本明細書に定義される液体の容易に流動可能な組成物を含み、すなわち、それから形成されると共に、加えて陰イオン界面活性剤；および場合により１以上のベタイン、非イオン性界面活性剤、両性界面活性剤、および陽イオン界面活性剤を含むシャンプーが提供される。
【００２９】
さらなる態様において、赤ちゃん用シャンプーが提供される。赤ちゃん用シャンプーは、（ｉ）（ａ）少なくとも一つの脂肪酸アルカノールアミド；好ましくは脂肪酸ジエタノールアミドを含む溶媒、（ｂ）式中ｎが約５〜約２００である、式−（ＯＣＨ2ＣＨ2）nに対応するポリエチレン・オキシド部分を有すると共に、約８〜約３０個の炭素原子数のカルボン酸部分を有し、好ましくは約１１．１〜約１８．８の親水性・親油性バランスを有するポリアルキレンオキシド・カルボン酸ジエステルを含む室温固形物非イオン性界面活性剤を含む溶質；および（ｃ）水を含む、室温で液体の溶媒和増粘剤組成物；（ｉｉ）陰イオン界面活性剤；（ｉｉｉ）ベタイン；（ｉｖ）非イオン性界面活性剤；および（ｖ）場合により両性界面活性剤を含む。好ましくは、陰イオン界面活性剤は全体シャンプー基準に対して約２〜約５重量％で存在し；ベタインは全体シャンプー基準に対して約３〜約６重量％で存在し；非イオン性界面活性剤は全体シャンプー基準に対して約６〜約１０重量％で存在し；および両性界面活性剤は全体シャンプー基準に対して約０〜約５重量％で存在する。赤ちゃん用シャンプーに有用な陰イオン界面活性剤の非限定例には、トリデセス硫酸ナトリウムが挙げられる。赤ちゃん用シャンプーに有用なベタインの非限定例には、コカミドプロピルベタインが挙げられる。赤ちゃん用シャンプーに有用な非イオン性界面活性剤の非限定例には、ＰＥＧラウリン酸ソルビタンが挙げられる。赤ちゃん用シャンプーに有用な両性界面活性剤の非限定例には、ラウレス硫酸ナトリウムが挙げられる。
【００３０】
本発明の別の態様において、おとな用シャンプーが提供される。おとな用シャンプーは、（ｉ）（ａ）少なくとも一つの脂肪酸アルカノールアミド；好ましくは脂肪酸ジエタノールアミドを含む溶媒、（ｂ）式中ｎが約５〜約２００である、式−（ＯＣＨ2ＣＨ2）nに対応するポリエチレン・オキシド部分を有すると共に、約８〜約３０個の炭素原子数のカルボン酸部分を有し、好ましくは約１１．１〜約１８．８の親水性・親油性バランスを有するポリアルキレンオキシド・カルボン酸ジエステルを含む室温固形物非イオン性界面活性剤を含む溶質；および（ｃ）水を含む、室温で液体の溶媒和増粘化組成物；（ｉｉ）陰イオン界面活性剤；（ｉｉｉ）ベタイン；（ｉｖ）非イオン性界面活性剤；および（ｖ）場合により陽イオン界面活性剤を含む。好ましくは、陰イオン界面活性剤は全体シャンプー基準に対して約６〜約１５重量％で存在し；ベタインは全体シャンプー基準に対して約２〜約６重量％で存在し；非イオン性界面活性剤は全体シャンプー基準に対して約１〜約４重量％で存在し；および陽イオン界面活性剤は全体シャンプー基準に対して約０〜約１重量％で存在する。おとな用シャンプーに有用な陰イオン界面活性剤の非限定例には、ラウレス硫酸ナトリウム、ラウリル硫酸ナトリウム、ラウレス硫酸アンモニウム、ラウリル硫酸アンモニウム、アルファオレフィンスルホネート、およびそれらの組合せが挙げられる。おとな用シャンプーに有用なベタインの非限定例には、コカミドプロピルベタインが挙げられる。おとな用シャンプーに有用な非イオン性界面活性剤の非限定例には、コカミドＭＥＡ、ラウリルアミドＤＥＡ、ＰＰＧ−２ヒドロキシエチル・ココ／イソステアロマイド、およびそれらの組合せが挙げられる。おとな用シャンプーに有用な陽イオン界面活性剤の非限定例には、ポリクアット（Ｐｏｌｙｑｕａｔ）１０またはベヘントリモニウムクロリドが挙げられる。
【００３１】
本発明の別の態様において、工業用洗浄剤組成物、好ましくは洗濯洗剤が提供される。工業用洗浄剤組成物は：
（ｉ）ａ）少なくとも一つの非イオン性界面活性剤を含む室温固形物溶質、
ｂ）少なくとも一つの脂肪酸アルカノールアミド、および
ｃ）場合により、水、
を含む液体の容易に流動可能な組成物（該脂肪酸アルカノールアミドは溶媒として機能して、固形物溶質を溶媒和し室温で液体の容易に流動可能である均一な組成物を形成する）、および
（ｉｉ）陰イオン界面活性剤、非イオン性界面活性剤、両性界面活性剤、および陽イオン界面活性剤からなる群から選択される少なくとも一つの界面活性剤、
を含む。
【００３２】
本明細書において記載される脂肪酸アルカノールアミドおよび非イオン性界面活性剤組成物は、また、シェービングフォーム、発汗抑制剤、脱臭剤、スキンクリーム、着色防止、髪染料、およびヘアスタイリング剤などの用途における水中油乳化液などの広範囲なパーソナルケアまたは化粧品乳化液における増粘剤としての使用に適する。適する最終用途パーソナルケア配合物の例は、Ｓｋｉｎ  Ｃａｒｅ  Ｐｒｏｄｕｃｔｓ，Ｓｕｎｓｃｒｅｅｎｓ  ａｎｄ  Ｓｋｉｎ  Ｃｌｅａｎｓｉｎｇ  Ｐｒｏｄｕｃｔｓ  ｃｈａｐｔｅｒｓ  ｏｆ  Ｈａｒｒｙ’ｓ  Ｃｏｓｍｅｔｏｌｏｇｙ  ８th  Ｅｄｉｔｉｏｎ（２０００）ＩＳＢＮ  ０−８２０６−０３７２−４に記載されている。
【００３３】
本発明の特徴および利点は、説明目的用に提供され、どの点からも本発明を限定するとは見なされることのない以下の実施例により、さらに詳しく示される。
【実施例】
【００３４】
実施例１〜６は、選択された室温固形物を溶媒和するための脂肪酸アルカノールアミドの能力を実証する。選択された室温固形物を、種々の濃度で脂肪酸アルカノールアミドおよび水と混合した。実施例１〜６における固形物を脂肪酸アルカノールアミドに添加し、液化物質を提供するために、５０℃またはそれが５０℃を超える場合にそれらの融点または鋳込み温度をわずかに超える温度に加熱した。温度を保持しながら均一になるまで混合羽根により容器中で材料を攪拌した。水を別途約５０℃の温度に加熱した。加熱水を適度の攪拌により混合物に添加した。得られる混合物を室温に冷却した。
【００３５】
実施例１
約１５．７のＨＬＢを有し、室温で固形物である（流動点３４℃）ポリオキシエチレン（２０）イソヘキサデシルエーテル（ユニケマ（Ｕｎｉｑｅｍａ）から市販されているアルラソルブ（Ａｒｌａｓｏｌｖｅ）２００）を、ラウリン酸ジエタノールアミド（ユニケマから市販されているモナミド（Ｍｏｎａｍｉｄ）７１６）またはココナッツ油脂肪酸ジエタノールアミド（ユニケマから市販されているモナミド７０５）、および水と、以下に記載される割合で、および上述の手順により混合して、溶媒和した透明で均一な組成物を形成した。結果を以下の表１に示す。
【表１】
2007536408.tif 000003
【００３６】
実施例２
約１２．４のＨＬＢを有し、室温で固形物である（流動点３８℃）ポリオキシエチレン（１０）ステアリルエーテル（ユニケマから市販されているＢｒｉｊ７６）を用いたことを除いて、実施例１の手順を繰り返した。結果を以下の表２に示す。
【表２】
2007536408.tif 000004
【００３７】
実施例３
約１５．３のＨＬＢを有し、室温で固形物である（流動点３８℃）ポリオキシエチレン（２０）ステアリルエーテル（ユニケマから市販されているＢｒｉｊ７８）を用いたことを除いて、実施例１の手順を繰り返した。結果を以下の表３に示す。
【表３】
2007536408.tif 000005
【００３８】
実施例４
約１５．５のＨＬＢを有し、室温で固形物である（流動点４５℃）ポリオキシエチレン（２１）ステアリルエーテル（ユニケマから市販されているＢｒｉｊ７２１）を用いたことを除いて、実施例１の手順を繰り返した。結果を以下の表４に示す。
【表４】
2007536408.tif 000006
【００３９】
実施例５
約１８．８のＨＬＢを有し、室温で固形物である（流動点４６℃）ステアリン酸ポリオキシエチレン（１００）（ユニケマから市販されているＭｙｒｊ５９）を用いたことを除いて、実施例１の手順を繰り返した。結果を以下の表５に示す。
【表５】
2007536408.tif 000007
【００４０】
実施例６
約１８．４のＨＬＢを有し、室温で固形物である（流動点５５℃）ジステアリン酸ポリオキシエチレン（１５０）（ユニケマから市販されているエストール（Ｅｓｔｏｌ）３７３４）を用いたことを除いて、実施例１の手順を繰り返した。結果を以下の表６に示す。
【表６】
2007536408.tif 000008
【００４１】
実施例７
実施例６で生成した組成物を、ジステアリン酸ポリオキシエチレン（１５０）０．５重量％の濃度で、両性基剤（ラウリルアミドプロピルベタイン４重量％、ココヒドロキシスルタイン３重量％、ココアンホ酢酸二ナトリウム２重量％、トリデセス硫酸ナトリウム２重量％、および水を含んで１００重量％）中に組み込んだ。得られる配合物の粘度を、ブルックフィールド粘度計、モデルＤＶＩＩを用いて測定した。結果を以下の表７に示す。
【表７】
2007536408.tif 000009
【００４２】
現在本発明の好ましい実施形態であると信じられるものが記載されてきたが、一方で、当業者は本発明の精神から逸脱することなくそれに対しての変更および修正がなされることが可能であることを理解すると共に、すべてのこうした変更および修正は、本発明の真の範囲内に入るとして包含されるように意図されている。
【国際調査報告】
2007536408.tif 000010
2007536408.tif 000011
2007536408.tif 000012